(57)【要約】【課題】複数の太陽電池セルを電気的に接続する際に生じ得る太陽電池セルの割れを防止できる太陽電池モジュールの製造方法を提供すること。【解決手段】太陽電池モジュールの製造方法は、互いに隣接する太陽電池セルのうち一方の太陽電池セルの表面に形成された主電極と他方の太陽電池セルの裏面に形成された裏面接続用電極とを半田がコーティングされたインターコネクタによって電気的に接続する工程を備え、前記接続工程は、一方の太陽電池セルの主電極の両端のうち、他方の太陽電池セルと隣接する側の主電極の端部に半田を設ける工程と、一方の太陽電池セルの主電極と他方の太陽電池セルの裏面接続用電極にインターコネクタを重ねる工程と、加熱により半田を溶融させインターコネクタを前記主電極と前記裏面接続用電極に半田付けする工程を含む。【選択図】図８
2008288278.tif 000002
【特許請求の範囲】
【請求項１】
互いに隣接する太陽電池セルのうち一方の太陽電池セルの表面に形成された主電極と他方の太陽電池セルの裏面に形成された裏面接続用電極とを半田がコーティングされたインターコネクタによって電気的に接続する工程を備え、前記接続工程は、一方の太陽電池セルの主電極の両端のうち、他方の太陽電池セルと隣接する側の主電極の端部に半田を設ける工程と、一方の太陽電池セルの主電極と他方の太陽電池セルの裏面接続用電極にインターコネクタを重ねる工程と、加熱により半田を溶融させインターコネクタを前記主電極と前記裏面接続用電極に半田付けする工程を含む太陽電池モジュールの製造方法。
【請求項２】
主電極の端部に半田を設ける前記工程は、前記端部に半田ペーストを塗布又は印刷する工程である請求項１に記載の太陽電池モジュールの製造方法。
【請求項３】
主電極の端部に半田を設ける前記工程は、前記端部を溶融はんだ槽に浸漬して引き上げる工程である請求項１に記載の太陽電池モジュールの製造方法。
【請求項４】
主電極の端部に設けられる半田は、インターコネクタをコーティングする半田よりも融点が低い請求項１〜３のいずれか１つに記載の太陽電池モジュールの製造方法。
【請求項５】
太陽電池セルを溶融はんだ槽に浸漬して主電極に半田をコーティングする工程をさらに備え、主電極の端部に半田を設ける前記工程は、半田がコーティングされた主電極の端部にさらに半田を設ける工程である請求項１に記載の太陽電池モジュールの製造方法。
【請求項６】
主電極の端部にさらに半田を設ける前記工程は、前記端部を再び溶融はんだ槽に浸漬して引き上げる工程である請求項５に記載の太陽電池モジュールの製造方法。
【請求項７】
主電極の端部にさらに半田を設ける前記工程は、前記端部に半田ペーストを塗布又は印刷する工程である請求項５に記載の太陽電池モジュールの製造方法。
【請求項８】
主電極の端部にさらに設けられる半田は、インターコネクタおよび主電極をコーティングする半田よりも融点が低い請求項５〜７のいずれか１つに記載の太陽電池モジュールの製造方法。
【発明の詳細な説明】
【技術分野】
【０００１】
この発明は、太陽電池モジュールの製造方法に関し、特に太陽電池セルの割れを抑制するための太陽電池モジュールの製造方法に関する。
【背景技術】
【０００２】
この発明に関連する従来技術としては、太陽電池セルの主電極および裏面接続用電極の表面にはんだ層をそれぞれ形成するにあたり、主電極および裏面接続用電極に半田ペーストを印刷することにより、部分的な隆起等のない平坦なはんだ層を形成する太陽電池セルの製造方法が知られている（例えば、特許文献１参照）
【０００３】
【特許文献１】特開２００６−４９４２９号公報
【発明の開示】
【発明が解決しようとする課題】
【０００４】
太陽光エネルギーを電気エネルギーに直接変換する太陽電池は、近年、特に地球環境問題の観点から、次世代のエネルギー源としての期待が急激に高まっている。
太陽電池としては、化合物半導体または有機材料を用いたものなど様々な種類のものがあるが、現在、主流となっているのは、シリコン基板を用いたシリコン結晶型太陽電池である。
シリコン結晶型太陽電池は、シリコン基板にエッチング、不純物拡散、電極形成などの工程を施して作製された複数の太陽電池セルを電気的に直列接続して太陽電池ストリングとし、さらにこの太陽電池ストリングを封止材によって封止することにより、太陽電池モジュールとして販売および使用されることが多い。
【０００５】
太陽電池セルを直列接続するにあたっては、通常、インターコネクタと呼ばれる細長い銅リボンが隣接する太陽電池セルの受光面側のメイングリッド電極（主電極）と裏面接続用電極に半田付けされる。
【０００６】
従来の第１の方法によって接続されたメイングリッド電極とインターコネクタを図１１に示す。
図１１に示されるように、インターコネクタ１１１はその表面にはんだ層１１３が予め形成されている。
インターコネクタ１１１をメイングリッド電極１０６に接触させながら、はんだの融点以上の温度に加熱することにより、はんだ層１１３が溶融し、インターコネクタ１１１がメイングリッド電極１０６に半田付けされる。
【０００７】
従来の第２の方法によって接続されたメイングリッド電極とインターコネクタを図１２に示す。
図１２に示されるように、インターコネクタ１１１はその表面にはんだ層１１３が予め形成されており、またメイングリッド電極１０６もその表面にはんだ層１１５が予め形成されている。
インターコネクタ１１１をメイングリッド電極１０６に接触させながら、はんだの融点以上の温度に加熱することにより、はんだ層１１３，１１５がそれぞれ溶融し、インターコネクタ１１１がメイングリッド電極１０６に半田付けされる。
【０００８】
ところで、太陽光発電システムの普及に伴って、太陽電池モジュールの製造コストの低減が従来にも増して重要視されるようになってきている。
太陽電池モジュールの製造コストの低減を図るうえでは、材料コストの多くを占めるシリコン基板の薄型化が非常に有効な手段である。
しかしながら、シリコン基板の薄型化はシリコン基板の機械的強度を低下させる。
【０００９】
薄いシリコン基板を用いて作製された太陽電池セルを銅からなるインターコネクタで直列接続すると、シリコン基板とインターコネクタとの熱膨張係数の差により、太陽電池セルに反りが生じ、インターコネクタとメイングリッド電極との接続部分の近傍に割れが生ずることがあった。
詳しくは、太陽電池セルを構成するシリコンの熱膨張係数は３．５×１０-6／Ｋであるのに対し、銅の熱膨張係数は１７．６×１０-6／Ｋであり、両者の熱膨張係数には５倍程度の差がある。
このため、はんだを溶融させる加熱工程後の冷却工程においてインターコネクタが太陽電池セルよりも大きく収縮して太陽電池セルに反りが生じ、場合によっては接続部分の近傍に割れが生ずるのである。
【００１０】
図１３にインターコネクタとメイングリッド電極との接続部分の近傍に生じる割れを模式的に示す。
図１３に示されるように、太陽電池セル１０１の割れＣは、インターコネクタ１１１とメイングリッド電極１０６の接続部分のうち、他方のセルへ向かう接続部分の終端部で発生している。これは、前記終端部にシリコン基板１０２とインターコネクタ１１１との熱膨張係数の差に起因して生ずる熱応力が最も集中し易いためである。
この傾向はシリコン基板１０２の厚さが薄くなるほど顕著に表れ、太陽電池モジュールの歩留まりを低下させるので、太陽電池モジュールの製造コストの低減を図るうえで大きな問題となっている。
【００１１】
この発明は以上のような事情を考慮してなされたものであり、複数の太陽電池セルを電気的に接続する際に生じ得る太陽電池セルの割れを防止できる太陽電池モジュールの製造方法を提供するものである。
【課題を解決するための手段】
【００１２】
この発明は、互いに隣接する太陽電池セルのうち一方の太陽電池セルの表面に形成された主電極と他方の太陽電池セルの裏面に形成された裏面接続用電極とを半田がコーティングされたインターコネクタによって電気的に接続する工程を備え、前記接続工程は、一方の太陽電池セルの主電極の両端のうち、他方の太陽電池セルと隣接する側の主電極の端部に半田を設ける工程と、一方の太陽電池セルの主電極と他方の太陽電池セルの裏面接続用電極にインターコネクタを重ねる工程と、加熱により半田を溶融させインターコネクタを前記主電極と前記裏面接続用電極に半田付けする工程を含む太陽電池モジュールの製造方法を提供するものである。
【発明の効果】
【００１３】
この発明によれば、互いに隣接する太陽電池セルを半田がコーティングされたインターコネクタによって電気的に接続するにあたり、一方の太陽電池セルの主電極の両端のうち他方の太陽電池セルと隣接する側の主電極の端部に半田が設けられるので、当該端部における半田の分量が他の部分よりも増加し、加熱により溶融させられた半田の固化に要する時間が他の部分よりも長くなる。
このため、互いに隣接する太陽電池セルをインターコネクタを用いて接続する際に、最も熱応力の加わる部分とされてきた他方の太陽電池セルと隣接する側の主電極の端部における半田の固化が他の部分よりも遅延され、当該端部における太陽電池セルとインターコネクタとの相対的な移動が半田の固化が完了するまで許容される。
これにより、太陽電池セルに加わる熱応力が緩和された状態でインターコネクタを半田付けできるようになり、太陽電池セルの割れを防止できる。
【発明を実施するための最良の形態】
【００１４】
この発明による太陽電池モジュールの製造方法は、互いに隣接する太陽電池セルのうち一方の太陽電池セルの表面に形成された主電極と他方の太陽電池の裏面に形成された裏面接続用電極とを半田がコーティングされたインターコネクタによって電気的に接続する工程を備え、前記接続工程は、一方の太陽電池セルの主電極の両端のうち、他方の太陽電池セルと隣接する側の主電極の端部に半田を設ける工程と、一方の太陽電池セルの主電極と他方の太陽電池セルの裏面接続用電極にインターコネクタを重ねる工程と、加熱により半田を溶融させインターコネクタを前記主電極と前記裏面接続用電極に半田付けする工程を含むことを特徴とする。
【００１５】
この発明による太陽電池モジュールの製造方法において、太陽電池セルとは、例えば、ｐ型又はｎ型のシリコン基板にｎ型又はｐ型の不純物拡散層が形成され、表面および裏面に電極がそれぞれ形成されたものを意味する。
この場合、シリコン基板は、単結晶シリコン基板又は多結晶シリコン基板のいずれであってもよい。
もちろん、この発明は上記のようなシリコン基板のみに限定されるものではなく、例えば、シリコン基板に代えて化合物半導体基板が用いられてもよい。
【００１６】
また、半田とは、約４５０℃未満の低い融点を有するろう接用の溶加材を意味し、例えば、Ｓｎ−Ｐｂはんだ、銀入りはんだ、インジウムはんだ、アルミニウムはんだ、金はんだなどが挙げられる。
もちろん、環境を考慮して鉛を含まない鉛フリーはんだが用いられてもよい。鉛フリーはんだとしては、例えば、接続信頼性に優れたＳｎＡｇＣｕ系のものや、溶融点が低くコスト的にも優れたＳｎＺｎＢｉ系のものなどを用いることができる。
なお、主電極の端部に設けられた半田の性状は、固体状またはペースト状のいずれであっても構わない。
【００１７】
太陽電池セルの表面に形成された主電極とは、例えば、太陽電池セルの受光面に形成された櫛状のグリッド電極のうち、サブグリッド電極と交差するメイングリッド電極を意味する。
また、太陽電池セルの裏面に形成された裏面接続用電極とは、例えば、太陽電池セルの裏面全体を覆うアルミ電極の開口部に形成された接続用の銀電極を意味する。
また、インターコネクタとは、隣接する太陽電池セルの主電極と裏面接続用電極を電気的に接続する接続用の導電部材を意味し、この発明では半田がコーティングされたものを用いる。
【００１８】
この発明による太陽電池モジュールの製造方法において、主電極の端部に半田を設ける前記工程は、前記端部に半田ペーストを塗布又は印刷する工程であってもよい。
【００１９】
この発明による太陽電池モジュールの製造方法において、主電極の端部に半田を設ける前記工程は、前記端部を溶融はんだ槽に浸漬して引き上げる工程であってもよい。
【００２０】
この発明による太陽電池モジュールの製造方法において、主電極の端部に設けられる半田は、インターコネクタをコーティングする半田よりも融点が低いことが好ましい。
【００２１】
このような構成によれば、加熱による半田の溶融後、主電極の端部に設けられた半田はインターコネクタをコーティングする半田よりも低い温度で固化するので、一方の太陽電池セルの主電極の両端のうち、他方の太陽電池セルと隣接する側の端部における半田の固化を他の部分よりもより一層遅延させることができる。
これにより、半田付け時に、当該端部における太陽電池セルとインターコネクタとの相対的な移動をより長い間にわたって許容させることができ、太陽電池セルに加わる熱応力がより一層緩和された状態でインターコネクタを半田付けすることが可能となる。
【００２２】
この発明による太陽電池モジュールの製造方法は、太陽電池セルを溶融はんだ槽に浸漬して主電極に半田をコーティングする工程をさらに備え、主電極の端部に半田を設ける前記工程は、半田がコーティングされた主電極の端部にさらに半田を設ける工程であってもよい。
【００２３】
このような構成によれば、インターコネクタだけでなく、主電極にも半田がコーティングされるので、半田付けのための加熱時にインターコネクタおよび主電極の双方にコーティングされた半田が溶融し、より容易、かつ、確実に半田付けを行えるようになる。
なお、主電極の端部にさらに半田を設けることによって得られる作用と効果は上述のとおりであり、当該端部における半田の固化が遅延させられることにより、熱応力が緩和された状態でインターコネクタが半田付けされるようになる。
【００２４】
主電極にも半田がコーティングされる上記構成において、主電極の端部にさらに半田を設ける前記工程は、前記端部を再び溶融はんだ槽に浸漬して引き上げる工程であってもよい。
【００２５】
主電極にも半田がコーティングされる上記構成において、主電極の端部にさらに半田を設ける前記工程は、前記端部に半田ペーストを塗布又は印刷する工程であってもよい。
【００２６】
主電極にも半田がコーティングされる上記構成において、主電極の端部にさらに設けられる半田は、インターコネクタおよび主電極をコーティングする半田よりも融点が低いことが好ましい。その理由は上述のとおりである。
【００２７】
以下、図面に基づいてこの発明を詳細に説明する。なお、以下に説明する複数の実施形態において、共通する部材には同じ符号を付して説明する。
【００２８】
実施形態１
この発明の実施形態１に係る太陽電池モジュールの製造方法について図１〜９に基づいて説明する。
図１は、実施形態１に係る太陽電池モジュールの製造方法で用いられる太陽電池セルの平面図、図２は図１に示される太陽電池セルの側面図、図３は図１に示される太陽電池セルの裏面図、図４は実施形態１に係る太陽電池モジュールの製造方法で用いられるインターコネクタの平面図、図５は図４に示されるインターコネクタの側面図、図６は実施形態１に係る太陽電池モジュールの製造方法を説明する工程図、図７は図６（ａ）に示される半田設置工程の要部拡大説明図、図８は図６（ｂ）に示される配置工程の要部拡大説明図、図９は図４（ｃ）に示される半田付け工程の要部拡大説明図である。
【００２９】
図６に示されるように、実施形態１に係る太陽電池モジュールの製造方法は、互いに隣接する太陽電池セル１のうち一方の太陽電池セル１の表面に形成されたメイングリッド電極（主電極）６（図１参照）と他方の太陽電池セル１の裏面に形成された裏面接続用電極１０（図３参照）とを半田１３がコーティングされたインターコネクタ１１（図４および図５参照）によって電気的に接続する接続工程を備えている。この接続工程は、後述する半田設置工程、配置工程および半田付け工程とから構成される。
【００３０】
図１〜３に示されるように、この発明の実施形態１に係る太陽電池モジュールの製造方法で用いられる太陽電池セル１は、厚さ２００μｍ、一辺１２５ｍｍのｐ型単結晶シリコン基板２の受光面２ａ側にリン拡散によるｎ型不純物拡散層３が形成され、受光面２ａと裏面２ｂに受光面電極４と裏面電極５がそれぞれ形成された構成を有している。
図１に示されるように、受光面電極４は一般にグリッド電極と呼ばれるもので、平行に並んだ２本のメイングリッド電極６に複数のサブグリッド電極７が交差した構成を有している。メイングリッド電極６の幅Ｗ１は約２ｍｍである。
受光面電極４は受光面２ａ上に銀ペーストをスクリーン印刷法によって印刷し、焼成することにより形成されている。
【００３１】
一方、図３に示されるように、裏面電極５はシリコン基板２の裏面２ｂの略全面を覆うように形成されたアルミ電極９と、アルミ電極９の開口部に形成された裏面接続用電極１０とから構成されている。
アルミ電極９はシリコン基板２の裏面２ｂにアルミニウムペーストをスクリーン印刷法によって印刷し、焼成することにより形成されている。
一方、裏面接続用電極１０は、銀ペーストをアルミ電極９の開口部にスクリーン印刷法によって印刷し、焼成することにより形成されている。
【００３２】
図４および図５に示されるように、実施形態１で用いられるインターコネクタ１１は銅リボン１２の表面に半田１３がコーティングされた構成を有している。
半田１３のコーティングは、銅リボン１２を溶融はんだ槽に浸漬し引き上げることにより形成される。
【００３３】
図６に示されるように、実施形態１に係る太陽電池モジュールの製造方法において、上記の接続工程は、一方の太陽電池セル１のメイングリッド電極６の両端６ａ，６ｂ（図１および図２参照）のうち、他方の太陽電池セル１と隣接する側の端部６ｂに半田１４を設ける半田設置工程（図６（ａ）参照）と、インターコネクタ１１を一方の太陽電池セル１のメイングリッド電極６と他方の太陽電池セル１の裏面接続用電極１０（図２および図３参照）に重ねる配置工程（図６（ｂ）参照）と、加熱により半田１３，１４を溶融させインターコネクタ１１をメイングリッド電極６と裏面接続用電極１０に半田付けする半田付け工程（図６（ｃ）参照）とから主に構成されている。
【００３４】
以下、これらの各工程について図７〜９に示す要部拡大説明図を用いてより詳細に説明する。
【００３５】
まず、半田設置工程（図６（ａ））では、図７に示されるように各メイングリッド電極６の両端６ａ，６ｂ（図１および図２参照）のうち、他の太陽電池セル１と接続された際に当該他の太陽電池セル１と隣接する側の端部６ｂに半田ペーストを直径２ｍｍ程度、厚さ１００〜２００μｍ程度で塗布し、これを約１２０℃で約２分間乾燥させて熱応力緩和用の半田１４とする。
また、半田ペーストの塗布に代えて、メイングリッド電極６の端部６ｂを溶融はんだ槽（図示せず）に浸漬し引き上げることにより、熱応力緩和用の半田１４が設けられてもよい。
いずれの方法を用いるにしても、熱応力緩和用の半田１４には、インターコネクタ１１をコーティングする半田１３よりも融点の低いものを用いることが好ましい。
【００３６】
次いで、配置工程（図６（ｂ））では、図８に示されるように、先の半田設置工程で設けられた熱応力緩和用の半田１４が、接続先の太陽電池セル１の裏面接続用電極１０と隣接する関係となるように複数の太陽電池セル１を並べる。
この際、太陽電池セル１を並べる作業に併行して、隣接する太陽電池セル１のメイングリッド電極６と裏面接続用電極１０にインターコネクタ１１が重なるようにインターコネクタ１１を配置する作業も行われる。
この配置工程は、真空吸引機能、搬送機能、加熱機能および冷却機能を兼ね備えた自動配線装置（図示せず）で行うことができる。
【００３７】
次いで、半田付け工程（図６（ｃ））では、図９に示されるように、配置工程で配置された位置関係を保ったまま上述の自動配線装置で太陽電池セル１およびインターコネクタ１１を２２０℃に加熱し、インターコネクタ１１をコーティングしている半田１３（図４および図５参照）および熱応力緩和用の半田１４（図６（ａ）参照）を溶融させ、その後、徐々に冷却することによりインターコネクタ１１を隣接する太陽電池セル１のメイングリッド電極６と裏面接続用電極１０に半田付けする。
【００３８】
この際、最も熱応力の集中し易い箇所である接続先の太陽電池セル１と隣接するメイングリッド電極６の端部６ｂは、熱応力緩和用の半田１４が設けられ、半田の分量が他の部分よりも局部的に増大しているため、当該端部６ｂにおける半田の固化は他の部分よりも遅延される。
これにより、図９に矢印で示されるように、当該端部６ｂにおける太陽電池セル１とインターコネクタ１１との相対的な移動が半田の固化が完了するまで許容され、太陽電池セル１に加わる熱応力が緩和された状態でインターコネクタ１１が半田付けされるため、太陽電池セル１の割れが防止される。
【００３９】
なお、このような作用と効果は、熱応力緩和用の半田１４として、インターコネクタ１１をコーティングする半田１３よりも融点の低いものが用いられた場合に、より一層顕著に発揮される。
というのは、熱応力緩和用の半田１４として融点の低いものを用いることにより、当該端部６ｂにおける半田の固化がより一層遅延され、より長い間にわたって太陽電池セル１とインターコネクタ１１との相対的な移動が許容されるからである。
【００４０】
実施形態２
この発明の実施形態２に係る太陽電池モジュールの製造方法について図１０に基づいて説明する。図１０はこの発明の実施形態２に係る太陽電池モジュールの製造方法を説明する工程図である。
【００４１】
図１０（ａ）に示されるように、実施形態２に係る太陽電池モジュールの製造方法は、太陽電池セル１を溶融はんだ槽（図示せず）に浸漬して引き上げることにより、受光面電極４および裏面接続用電極５の表面に半田１５をコーティングする工程が加えられている。
その後の工程は、上述の実施形態１に係る太陽電池モジュールの製造方法と実質的に同じである。
【００４２】
すなわち、図１０（ｂ）に示される半田設置工程では、半田１５がコーティングされた各メイングリッド電極６の両端６ａ，６ｂのうち、他の太陽電池セル１と接続された際に当該他の太陽電池セル１と隣接する側の端部６ｂにさらに半田ペーストを直径２ｍｍ程度、厚さ１００〜２００μｍ程度で塗布し、これを約１２０℃で約２分間乾燥させて熱応力緩和用の半田１４とする。
また、半田ペーストの塗布に代えて、メイングリッド電極６の端部６ｂを溶融はんだ槽に浸漬し引き上げることにより、熱応力緩和用の半田１４が設けられてもよい。
【００４３】
いずれにしても、上述の実施形態１と同様に、熱応力緩和用の半田１４にはメイングリッド電極６をコーティングする上記の半田１５よりも融点の低いものを用いることが好ましい。
したがって、メイングリッド電極６の端部６ｂを溶融はんだ槽に浸漬して引き上げることにより熱応力緩和用の半田１４を設ける場合、溶融はんだ槽内の半田は、メイングリッド電極６をコーティングするために用いられた半田１５とは組成の異なる融点の低いものであることが好ましい。
【００４４】
次いで、図１０（ｃ）に示される配置工程では、先の半田設置工程で設けられた熱応力緩和用の半田１４が、接続先の太陽電池セル１の裏面接続用電極１０と隣接する関係となるように太陽電池セル１を並べる作業と併行して、インターコネクタ１１が隣接する太陽電池セル１のメイングリッド電極６と裏面接続用電極１０に重なるように、インターコネクタ１１を配置する。この配置工程は上述の実施形態１と同様に自動配線装置を用いて行うことができる。
【００４５】
その後、図１０（ｄ）に示される半田付け工程では、配置工程で配置された位置関係を保ったまま上述の自動配線装置で太陽電池セル１およびインターコネクタ１１を２２０℃に加熱し、インターコネクタ１１をコーティングしている半田１３（図４および図５参照）、メイングリッド電極６をコーティングしている半田１５（図１０（ａ）参照）、および半田設置工程で設けられた熱応力緩和用の半田１４（図１０（ｂ）参照）を溶融させ、その後、徐々に冷却することによりインターコネクタ１１を、隣接する太陽電池セル１のメイングリッド電極６と裏面接続用電極１０に半田付けする。
【００４６】
実施形態２による太陽電池モジュールの製造方法によっても、上述の実施形態１と同様に、最も熱応力の集中し易い箇所である接続先の太陽電池セル１と隣接するメイングリッド電極６の端部６ｂにおいて半田の固化が他の部分よりも遅延され、当該端部６ｂにおける太陽電池セル１とインターコネクタ１１との相対的な移動が半田の固化が完了するまで許容される。これにより、太陽電池セル１に加わる熱応力が緩和された状態でインターコネクタ１１が半田付けされ、太陽電池セル１の割れが防止される。
【図面の簡単な説明】
【００４７】
【図１】この発明の実施形態１に係る太陽電池モジュールの製造方法に用いられる太陽電池セルの平面図である。
【図２】図１に示される太陽電池セルの側面図である。
【図３】図１に示される太陽電池セルの裏面図である。
【図４】この発明の実施形態１に係る太陽電池モジュールの製造方法に用いられるインターコネクタの平面図である。
【図５】図４に示されるインターコネクタの側面図である。
【図６】この発明の実施形態１に係る太陽電池モジュールの製造方法を説明する工程図である。
【図７】図６（ａ）に示される半田設置工程の要部拡大説明図である。
【図８】図６（ｂ）に示される配置工程の要部拡大説明図である。
【図９】図６（ｃ）に示される半田付け工程の要部拡大説明図である。
【図１０】この発明の実施形態２に係る太陽電池モジュールの製造方法を説明する工程図である。
【図１１】従来の第１の方法によって接続されたメイングリッド電極とインターコネクタを示す説明図である。
【図１２】従来の第２の方法によって接続されたメイングリッド電極とインターコネクタを示す説明図である。
【図１３】インターコネクタとメイングリッド電極との接続部分の近傍に生ずる割れを模式的に示す説明図である。
【符号の説明】
【００４８】
１・・・太陽電池セル
２・・・シリコン基板
２ａ・・・受光面
２ｂ・・・裏面
３・・・不純物拡散層
４・・・受光面電極
５・・・裏面電極
６・・・メイングリッド電極
６ａ，６ｂ・・・端部
７・・・サブグリッド電極
８・・・裏面電極
９・・・アルミ電極
１０・・・裏面接続用電極
１１・・・インターコネクタ
１２・・・銅リボン
１３，１４，１５・・・半田
【図１】
2008288278.tif 000003
【図２】
2008288278.tif 000004
【図３】
2008288278.tif 000005
【図４】
2008288278.tif 000006
【図５】
2008288278.tif 000007
【図６】
2008288278.tif 000008
【図７】
2008288278.tif 000009
【図８】
2008288278.tif 000010
【図９】
2008288278.tif 000011
【図１０】
2008288278.tif 000012
【図１１】
2008288278.tif 000013
【図１２】
2008288278.tif 000014
【図１３】
2008288278.tif 000015